(57)【要約】【課題】容易かつフレキシブルに破り開くことが可能なフィルム袋を提供すること。【解決手段】前壁１を備えた袋本体部を有するフィルム袋であって、両前壁１によって形成された第１の側縁部２ａが、袋本体部の第１のコーナ部５において上側の袋縁部４へ接続されており、上側の袋縁部では、両前壁１が閉鎖継ぎ目によって互いに結合されており、前壁１が、第１のコーナ部５において複数の予定破断線６を備えており、該予定破断線は、第１の側縁部２ａから互いに間隔をもって閉鎖継ぎ目まで弓状に延びており、該閉鎖継ぎ目には引裂き補助部が配置されている、前記フィルム袋において、各前壁１に予定破断線６が設けられており、上側の袋縁部４において、引裂き補助部がそれぞれ２つの隣接する予定破断線６の間での引裂き及び／又はちょうど各予定破断線６での引裂きを可能とするように、引裂き補助部が形成されている。【選択図】図３
2017128390.tif 000002
【特許請求の範囲】
【請求項１】
２つの前壁（１）を備えた袋本体部を有するフィルム袋であって、少なくとも前記両前壁（１）によって形成された第１の側縁部（２ａ）が、前記袋本体部の第１のコーナ部（５）において上側の袋縁部（４）へ接続されており、該上側の袋縁部では、前記両前壁（１）が閉鎖継ぎ目によって互いに結合されており、前記前壁（１）が、前記第１のコーナ部（５）においてそれぞれ複数の予定破断線（６）を備えており、該予定破断線は、前記第１の側縁部（２ａ）から互いに間隔をもって少なくとも前記閉鎖継ぎ目まで弓状に延びており、該閉鎖継ぎ目には引裂き補助部が配置されている、前記フィルム袋において、
前記各前壁（１）に少なくとも３つの前記予定破断線（６）が設けられていること、並びに、前記上側の袋縁部（４）において、前記引裂き補助部がそれぞれ２つの隣接する前記予定破断線（６）の間での引裂き及び／又はちょうど前記各予定破断線（６）での引裂きを可能とするように、前記引裂き補助部が形成及び配置されていることを特徴とするフィルム袋。
【請求項２】
前記予定破断線（６）が、前記第１のコーナ部（５）を起点として凸状の形状を備えていることを特徴とする請求項１に記載のフィルム袋。
【請求項３】
前記全予定破断線（６）が、前記上側の袋縁部（４）に割り当てられた端部において、前記上側の袋縁部（４）と６０°より大きな角度をなしていることを特徴とする請求項１又は２に記載のフィルム袋。
【請求項４】
前記予定破断線（６）が、共通の基準点周りに異なる間隔をもって弓状に配置されていることを特徴とする請求項１〜３のいずれか１項に記載のフィルム袋。
【請求項５】
前記予定破断線（６）が、１／４円として、前記第１のコーナ部（５）に配置された中心点周りに同心状に延びていることを特徴とする請求項４に記載のフィルム袋。
【請求項６】
前記予定破断線（６）が、等間隔に配置されていることを特徴とする請求項１〜５のいずれか１項に記載のフィルム袋。
【請求項７】
隣接する前記予定破断線（６）の間隔が７〜３０ｍｍであることを特徴とする請求項１〜６のいずれか１項に記載のフィルム袋。
【請求項８】
前記予定破断線（６）がレーザによって形成されていることを特徴とする請求項１〜７のいずれか１項に記載のフィルム袋。
【請求項９】
前記引裂き補助部がジグザグ切り込み部（７）によって形成されていることを特徴とする請求項１〜８のいずれか１項に記載のフィルム袋。
【請求項１０】
前記予定破断線（６）が、前記上側の袋縁部において、前記第１のコーナ部（５）を起点として、前記上側の袋縁部（４）に沿って規定された袋幅の１０〜４５％の範囲にわたって延在していることを特徴とする請求項１〜９のいずれか１項に記載のフィルム袋。
【請求項１１】
前記袋本体部が、前記上側の袋縁部（４）と第２の側縁部（２ｂ）の間に形成された第２のコーナ部において複数の別の予定破断線を備えており、該予定破断線が、前記第２のコーナ部を起点として凸状の形状を備えていることを特徴とする請求項１〜１０のいずれか１項に記載のフィルム袋。
【請求項１２】
前記袋本体部が、前記前壁（１）のみによって形成されていることを特徴とする請求項１〜１１のいずれか１項に記載のフィルム袋。
【発明の詳細な説明】
【技術分野】
【０００１】
本発明は、２つの前壁を備えた袋本体部を有するフィルム袋であって、少なくとも両前壁によって形成された第１の側縁部が、袋本体部の第１のコーナ部において上側の袋縁部へ接続されており、該上側の袋縁部では、両前壁が閉鎖継ぎ目によって互いに結合されており、前壁が、第１のコーナ部においてそれぞれ複数の予定破断線を備えており、該予定破断線は、第１の側縁部から互いに間隔をもって少なくとも閉鎖継ぎ目まで弓状に延びており、該閉鎖継ぎ目には引裂き補助部が配置されている、前記フィルム袋に関するものである。
【背景技術】
【０００２】
実際には、フィルム袋は様々な形態で開けられる。カッター又ははさみによる切り開きのほかに、フィルム袋は手で開くことに対しても設定されることが可能である。
【０００３】
例えば、フィルム袋の形成のために、互いに対向する両前壁が閉鎖継ぎ目をはぎ開けることで、すなわち引き開けることで、上側の袋縁部において開放されることが可能な多層の共押出フィルム又はフィルム複合体が知られている。このような引き開けは、封印部の開放によって、又は層複合部内での材料破断によって行われ、対応する開口パターンが、上側の袋縁部が接着剤によって閉鎖されているフィルム袋においても達成され得る。
【０００４】
開口の上述の種類は、しばしば例えばポテトチップス用のようなスナックパッケージの分野で用いられる。このとき、通常、上側の袋縁部全体が開けられ、その結果、フィルム袋の内容物を容易に手でつかむことが可能である。
【０００５】
さらに、様々な種類の引裂き補助及び開放補助が知られている。
【０００６】
上側の袋縁部におけるジグザグ切り込み部により、容易な引裂きが可能である。個別の切り込み、引裂き刻み目又はジグザグ切り込み部のような適当な引裂き補助部により、容易な亀裂発生が可能となるが、延伸性のポリエチレンテレフタレート（ＯＰＥＴ）又は二軸延伸ポリプロピレン（ＢＯ−ＰＰ）から成る延伸性のフィルム層が容易な引裂きを可能とするとしても、更なる引裂きは、ユーザにより困難なだけで制御可能である。上述の材料においてユーザによって亀裂が意図的に制御され得るとしても、目的をもった引裂きのためにはユーザのある程度の器用さが必要である。同じことが、二軸延伸性を有さずにかなりの剛性を有するセルロースを基礎とするフィルムについても当てはまる。
【０００７】
さらに、実際には、予定破断線の形態の複数の開放補助が知られており、これら開放補助は、レーザを用いて、又は打抜きによって材料に形成される。このような予定破断線により、亀裂経過と、これにより形成される開口とが正確に設けられることが可能である。さらに、引裂き時の容易な操作を保証することも可能である。
【０００８】
特許文献１から、合流し、その後共通の予定破断線を形成する複数の予定破断線が第１の側縁部と上側の袋縁部の間の袋本体部の第１のコーナ部に配置されたフィルム袋が知られている。上述の措置により、常に類似の大きさの開及び類似の亀裂パターンが生じることが達成される。側方折り目が両前壁の間に納められる側方折り袋を上側の袋縁部を起点として引き裂くために、上述の形態は、特別な程度においても適している。納められた側方折り目の達成前に、様々な予定破断線が合流する。
【０００９】
特許文献２からフィルム袋が知られており、このフィルム袋においては、上側の袋縁部全体又は１つのコーナ部のみが引きはがされる。このために、異なる予定破断線又は予定破断線部分が設けられており、亀裂発生によって亀裂延長が制御され得る。上側の袋縁部全体を引き裂くために、複数の側縁部のうち１つにおいて亀裂発生がなされる。この背景から１つのコーナ部を引きはがすために、亀裂発生が対向する側縁部又は上側の袋縁部に基づいてなされる。異なる引裂き可能性を選択するために、ユーザ側でかなりの注意が必要であり、安全性をもって誤操作を排除することができない。
【００１０】
特許文献３によれば、複数の予定破断線が設けられており、中央の予定破断線において亀裂発生がなされ、その後、亀裂は外側に位置する予定破断線によって引き受けられる。
【００１１】
特許文献４によれば、２つの予定破断線が重なり合ってフィルム袋の横方向において延びており、上側の袋縁部における適当なシールによって、部分範囲のみが、又は袋が全幅において開放されることが可能である。上述の機能性を達成するために大きな範囲がシールされているため、袋の製造は手間がかかる。ここでも、誤操作により、フィルム袋が不意に完全に開放されることとなってしまい得る。
【００１２】
特許文献５及び特許文献６は、パッケージを連続して更に破り開くことが可能な別の形態に関するものであり、このために、適当な複数の予定破断線が直線的な配向において互いに平行に配置されている。
【００１３】
最後に、冒頭に記載した特徴を有するフィルム袋が特許文献７から知られている。
【００１４】
上側の袋縁部には、引裂き刻み目の形態の引裂き補助部が設けられており、引裂き補助部を起点として、亀裂が弓状の予定破断縁に到達し、そこから袋本体部の側縁部へ導かれる前に、破り開く際に亀裂がまずはガイドされずに前壁に沿って延びる。下方の第２の予定破断線は、亀裂が第１の予定破断線を不意に過ぎてしまう場合に、保護に役立つ。まずはガイドされない予定破断線の亀裂がなされると、その延長部に沿った湾曲部が生じる。ちょうどこのような湾曲部において、制御されずに破り開かれるおそれがある。亀裂が実際に予定破断線に従うことができるように、これら予定破断線が、材料を適切に弱める必要がある。形成された機構部の大きさは、影響されることがない。亀裂は、まず、引裂き補助部からほぼ垂直に下方へ延在し、そして、予定破断線へ移行する。その結果、破り開くときに開口部の常に一定な寸法が生じる。
【先行技術文献】
【特許文献】
【００１５】
【特許文献１】国際公開第２０１２／１００９９６号
【特許文献２】米国特許出願公開第２０１２／０２７３４９３号明細書
【特許文献３】独国実用新案第２０２００９０００３０２号明細書
【特許文献４】カナダ国特許発明第２６８９２５８号明細書
【特許文献５】欧州特許出願公開第２６５０２２９号明細書
【特許文献６】中国実用新案第２０２６０９２５２号明細書
【特許文献７】米国特許第８７４０４５８号明細書
【発明の概要】
【発明が解決しようとする課題】
【００１６】
この背景から、本発明の基礎をなす課題は、特に容易かつフレキシブルに破り開くことが可能なフィルム袋を提供することにある。
【課題を解決するための手段】
【００１７】
本発明の対象及び課題の解決手段は、請求項１によるフィルム袋である。
【００１８】
それゆえ、冒頭に記載した特徴を有するフィルム袋を起点として、本発明によれば、各前壁に少なくとも３つの予定破断線が設けられていること、並びに、上側の袋縁部において、引裂き補助部がそれぞれ２つの隣接する予定破断線の間での引裂き及び／又はちょうど各予定破断線での引裂きを可能とするように、引裂き補助部が形成及び配置されていることが設定されている。
【００１９】
互いに間隔をもって延びる少なくとも３つの予定破断線により、開口部の大きさがユーザによってある程度の度合いで影響され得る。１つの小さな開口部のみが必要であれば、比較的小さなコーナ部分のみを破り開くことも可能である。これに対して、より大きな開口部が望まれる場合には、引裂き補助部を使用しつつ袋中央部へ向けて更に配置された予定破断線において引き裂くことが可能であり、これにより、対応してより大きなコーナ部分が切り離される。特にユーザの意向に応じてフィルム袋を後からより大きく破り開くことも可能である。
【００２０】
まさに液体状又は注入可能な充填製品の場合には、破り開いた直後に操作することが袋の重さにより困難である。膨らんで満たされた袋の場合には、開ける際に、内圧により少量を困難なだけで取り出すことができる。したがって、充填製品のまさに取出し開始時には、しばしば比較的わずかな開口部が有利である。
【００２１】
これにつづいて、残った充填製品をスムーズに取り出すことができるように、袋は更に破り開かされることが可能である。このとき、既に部分的に空にされた袋が単にわずかな重量によって容易に操作可能であることが考慮されるべきであり、中身をあける場合にも充填製品自体はあまりはずみがつくことがない。
【００２２】
異なる大きさの開口部を生じさせることは、部分量のみを取り出すことが可能であるか、又は袋をできる限り迅速に空にすることが可能であるために合目的である。
【００２３】
本発明によるフィルム袋は、特に注入可能な、様々な製品のために設定されることが可能である。これには、例えば米、砂糖、穀粉、シリアル、ペレット化されたペットフード、様々な粉末状若しくは粒状の建築材料、洗剤及び洗浄剤、猫砂又はこれに類するもののような食品が考慮される。
【００２４】
引裂き補助部によって、隣接する予定破断線の間及び／又はちょうど各予定破断線における引裂きが可能となるため、制御されずに破り開くことも回避される。引裂き直後には、亀裂が隣接する両予定破断線のうち１つへ飛び移り、その結果、亀裂があらかじめ設定された延長部へ案内される。
【００２５】
本発明によれば、予定破断線が弓状に第１の側縁部と上側の袋縁部の間で延びており、予定破断線が、第１のコーナ部を起点として凸状の形状を備えている。
【００２６】
袋が引裂き補助部を用いつつ上側の縁部から破り開かれる場合には、第１のコーナ部を起点とした予定破断線の凸状の延長部がユーザの通常の引張方向に対応するため、破り開くことを特に容易かつ確実に行うことが可能である。
【００２７】
本発明の好ましい形態によれば、全予定破断線が、上側の袋縁部に割り当てられた端部において、上側の袋縁部と６０°より大きな角度をなしているようになっている。特に好ましくは、この角度は７５°より大きく、例えばほぼ９０°である。そして、引裂き補助部においてまずは亀裂が両手でほぼ垂直な角度で上側の袋縁部から下方へ形成される場合には、この亀裂の延長部が予定破断線の延長部にも対応するため、このように形成された亀裂の複数の予定破断線のうち１つへの移行時には大きな湾曲は生じず、破り開くことが容易でスムーズな動きで行われることが可能である。
【００２８】
両前壁に形成された予定破断線は好ましくは相互に重なり合って配置されており、形態に応じて、生産による差異を受け入れることが可能である。正確な、又は少なくとも大方正確な、両前壁における予定破断線の重なりは、第１の側縁部が折りエッジとして形成されているとともに予定破断線がこの折りエッジに関して対称に生じる場合に得られ、このことは、フィルム袋の製造時に、例えばＦＦＳ方法（製袋包装方法）において容易に可能である。
【００２９】
好ましくは、できる限りわずかな製造の手間によってユーザにとって非常に大きな程度の快適性及びフレキシブル性を達成するために、前壁にはそれぞれ互いに間隔をおいて延びる５〜１０の予定破断線が設けられている。具体的な設定に応じて、３つ若しくは４つのみ又は１１以上の予定破断線を設けることも可能である。まさに、大きな袋の場合には、形成されるべき開口部の大きさに関して、より大きな程度のフレキシブル性を達成するために、両前壁におけるより多くの数の予定破断線が有利であり得る。
【００３０】
本発明の好ましい形態によれば、更に、予定破断線が共通の基準点周りに異なる間隔をもって弓状に配置されているように構成されている。例えば、予定破断線は、共通の中心点を有する円弧又はだ円弧として構成されることが可能である。
【００３１】
例えば、予定破断線は、第１のコーナ部における中心点周りに、又はこの第１のコーナ部に対してずらして配置された中心点周りに同心状の１／４円として延びることが可能である。
【００３２】
好ましくは、予定破断線は互いに同等に配置されており、その結果、隣接する予定破断線は、同一の間隔を有している。正確に等間隔な配置にかかわらず、隣接する予定破断線の間隔は、好ましくは７〜３０ｍｍである。予定破断線が例えば円弧として中心点周りに同心状に配置されていれば、隣接する予定破断線の間隔に対応して半径が連続的に増大する。
【００３３】
予定破断線は、制限なく、レーザ又は打抜きによって生じ得る。この関係において、当業者は、レーザエネルギーあるいは打抜き深さを各材料の組合せ及び材料強度に適合することが可能である。
【００３４】
引裂き補助部によって容易な引裂きが可能であり、弓状の延長が好ましくはユーザによる引張方向にもほぼ対応するため、既に比較的容易な予定破断線による材料脆弱部が、コントロールされた破り開く状態を保証するのに十分である。
【００３５】
袋縁部における引裂き補助部は、特に容易に、ジグザグ切り込み部によって形成されることが可能である。代替として、少なくとも予定破断線の範囲において上側の袋縁部に配置された複数の切り込み又は刻み目を考慮に入れられる。当然、ジグザグ切り込み部、切り込み又は刻み目は、上側の袋縁部に沿って、フィルム袋の全幅にわたって横方向に延在することが可能である。
【００３６】
ジグザグ切り込み部により、隣接する２つの予定破断線の間の引裂きが対応して精密な形態において可能であり、この場合、予定破断線についてのジグザグ切り込み部の正確な向きは留意されない。これに加えて、又はこれに代えて、引裂き補助部により正確に各予定破断線での引裂きが可能であるべき場合には、特に好ましくはこのために複数の切り込み又は刻み目を設けることが可能である。例えば、予定破断線が閉鎖継ぎ目までのみではなく、閉鎖継ぎ目を越えて前壁の最外縁部に延びていれば十分であり、その結果、前壁自体がその端部で引裂き補助部を形成する。レーザ又は打抜きを用いた予定破断線の形成時には、引裂き補助部を形成するために、対応する箇所においてもより多くの材料が除去され、場合によってフィルムの完全な切断がなされることが可能である。
【００３７】
好ましくは、予定破断線は、上側の袋縁部において、第１のコーナ部を起点として、上側の袋縁部に沿って規定された袋幅の１０〜４５％の範囲にわたって延在しているように構成されている。
【００３８】
これに加えて、又はこれに代えて、上側の袋縁部において両コーナ部が上述のように複数の予定破断線を備えることが可能であり、その結果、上側の縁部と第２の側縁部の間の第２のコーナ部においても上述の破り開き構造が存在し、フィルム袋を選択的に両側縁部のいずれかにおいて破り開くことが可能である。
【００３９】
両前壁が、通常設けられるその印刷部に基づき、ユーザによって明確に認識できるように前側及び背側が形成される場合には、上側の両コーナ部において上述の予定破断線が設けられれば、右利きの人及び左利きの人がフィルム袋を容易に破り開くことが可能である。
【００４０】
フィルム袋の本発明による形態は、袋本体部が両前壁のみによって形成されており、対応して側部折り目を有さず、好ましくは底部折り目も有さない場合に特に有利である。このような枕状の袋は、特に容易にチューブで形成されることができ、フィルム袋は、好ましくはＦＦＳ方法で形成される。しかし、フィルム袋の本発明による形態は、フィルム袋の袋本体部が唯一のフィルムシートから折りたたまれるか、又は２つのフィルムシートからヒートシールによって形成される場合に構成されることが可能である。
【００４１】
前壁について、フィルム袋に用いられる通常の材料が考慮に入れられる。好ましくは、袋本体部は、共押出しされたか、又は多層に被覆されたフィルムで形成される。フィルム袋及び特に閉鎖継ぎ目を上側の袋縁部においてヒートシールにより形成するために、内側に位置するフィルム層が好ましくはポリオレフィン、特にポリウレタンのようなヒートシール可能な材料で形成されている。外側層に対しては、被覆されたフィルムにおいて、ＯＰＥＴ及びＢＯ−ＰＰのような延伸されたフィルム層がしばしば用いられる。被覆されたフィルムにおいては、印刷が最適に保護されるように、印刷部が好ましくは内側の層移行部に配置される。
【００４２】
以下に、本発明を１つのみの実施例を図示する図面に基づいて説明する。
【図面の簡単な説明】
【００４３】
【図１】破り開く前の本発明によるフィルム袋を示す図である。
【図２】上側の袋縁部を起点とする引裂き直後の図１によるフィルム袋の第１のコーナ部の詳細を示す図である。
【図３】破り開かれた図１によるフィルム袋を示す図である。
【発明を実施するための形態】
【００４４】
図１には本発明によるフィルム袋が示されており、その袋本体部が２つの前壁１で形成されている。
【００４５】
両前壁で形成された袋本体部は、第１の側縁部２ａと、第２の側縁部２ｂと、下側の袋縁部３と、上側の袋縁部４とを備えている。下側の袋縁部３及び上側の袋縁部４は、それぞれヒートシール継ぎ目の形態の閉鎖継ぎ目によって閉鎖されている。
【００４６】
側縁部２ａ，２ｂでは、前壁１が折り線によって互いの中へ移行し、袋本体部の周囲側での閉鎖のための閉鎖継ぎ目が、袋本体部の背側を形成し、かつ、図１では視認できない後方の前壁１において、好ましくは中央に配置されている。
【００４７】
これに代えて、閉鎖継ぎ目を側縁部２ａ，２ｂのうちいずれかに配置することも可能である。
【００４８】
第１の側縁部２ａと上側の袋縁部４の間に形成されている第１のコーナ部５の範囲には、第１の側縁部２ａから互いに間隔をもって上側の袋縁部４における閉鎖継ぎ目まで弓状に延びる複数の予定破断線６が配置されており、閉鎖継ぎ目には、引裂き補助部が配置されている。
【００４９】
図２による詳細図によれば、引裂き補助部としてジグザグ切り込み部７が設けられている。これに代えて、引裂き補助部として複数の刻み目又は切り込みを設けることも可能である。
【００５０】
本発明によれば、各前壁には少なくとも３本、実施例では７本の予定破断線６が配置されており、引裂き補助部は、当該引裂き補助部が上側の縁部においてそれぞれ２つの隣接する予定破断線６の間での引裂きを可能とするように形成及び配置されている。
【００５１】
上側の袋縁部は、ジグザグ切り込み部７によって、ユーザによりほぼいずれの箇所（いずれの凹部）でも引き裂かれることが可能である。ジグザグ切り込み部７の代わりに例えば別々の刻み目又は切り込みが存在する場合には、少なくともそれぞれ２つの隣接する予定破断線６の間にこのような刻み目あるいは切り込みを設けることができる。
【００５２】
図２による上側の袋縁部４が２つの予定破断線６の間で引き裂かれると、切裂き部は、まずはほぼ直角に下方へ延び、その後、隣接する予定破断線６のうち１つによって受け止められることができる。
【００５３】
予定破断線は、第１のコーナ部５に関して、凸状の形状を備えているとともに、上側の袋縁部４と通常は６０°より大きな角度をなしている。
【００５４】
好ましくは、予定破断線６は、共通の基準点周りに異なる間隔をもって弓状に延びている。例えば、予定破断線６は、１／４円として、第１のコーナ部５に配置された中心点周りに同心状に延びることができ、均等に増大する径によって、予定破断線６の等距離の配置が達成される。
【００５５】
隣接する予定破断線の間隔は、例えば７〜３０ｍｍ、例えば約１５ｍｍであり得る。
【００５６】
好ましくは、予定破断線６はレーザによって形成されるが、打抜きによる形成も考慮に値する。図２に基づいてフィルム袋が更に引き裂かれると、最後に、第１のコーナ部５を有する袋の一部が完全に分離され、その結果、フィルム袋の充填物を取り出すことが可能である（図３）。
【００５７】
別のリング状の部分が別の予定破断線６に沿って分離されることで、開口部がユーザによって容易に拡大され得ることも図３から明らかである。
【図１】
2017128390.tif 000003
【図２】
2017128390.tif 000004
【図３】
2017128390.tif 000005
【外国語明細書】
2017128390000001.pdf